【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
前記ビデオデータの現在のピクチャ内の現在のブロックのための前記ビデオデータの前記現在のピクチャ内の予測子ブロックを識別するベクトルに使用されることになる解像度を決定するステップと、
前記決定された解像度に基づいて、前記現在のブロックのための探索範囲を決定するステップであって、前記現在のブロックのための前記探索範囲を決定するステップが、
前記ベクトルのために使用されることになる前記解像度が整数ピクセルである場合、初期探索範囲を前記現在のブロックのための前記探索範囲として使用し、
前記ベクトルのために使用されることになる前記解像度が分数ピクセルである場合、前記探索範囲を決定するステップが、
前記初期探索範囲の右側境界および下側境界からMサンプルだけ前記初期探索範囲を縮小するステップと、
前記初期探索範囲の上側境界および左側境界からNサンプルだけ前記初期探索範囲を縮小するステップと、
前記縮小された初期探索範囲を前記現在のブロックのための前記探索範囲として使用するステップと
を備える、前記現在のブロックのための探索範囲を決定するステップと、
前記探索範囲内から、前記現在のブロックのための予測子ブロックを選択するステップと、
前記現在のブロックのための前記選択された予測子ブロックを識別する前記ベクトルを決定するステップと、
符号化ビデオビットストリーム内に、前記ベクトルの表現を符号化するステップと
を備える、方法。
【請求項２】
Mが2であり、Nが2である、請求項1に記載の方法。
【請求項３】
前記ベクトルが、分数ピクセル解像度を有する彩度動きベクトルであり、前記ベクトルの前記表現を符号化するステップが、前記彩度動きベクトルが導出可能である輝度動きベクトルを符号化するステップを備える、請求項1に記載の方法。
【請求項４】
前記ベクトルのために使用されることになる前記解像度を決定するステップが、前記現在のブロックのための彩度予測子ブロックを識別する彩度動きベクトルのために使用されることになる解像度を決定するステップを備え、前記方法が、
前記現在のブロックのための輝度サンプリングに対する彩度サンプリングの比が1よりも大きい場合、分数ピクセル解像度が前記ベクトルのために使用されることになることを決定するステップをさらに備える、請求項1に記載の方法。
【請求項５】
前記現在のブロックの彩度サンプリングフォーマットが4:2:2または4:2:0である場合、前記現在のブロックのための輝度サンプリングに対する彩度サンプリングの前記比が1よりも大きい、請求項4に記載の方法。
【請求項６】
前記符号化ビデオビットストリーム内に、前記ベクトルのために使用されることになる前記解像度を示す構文要素を符号化するステップをさらに備える、請求項1に記載の方法。
【請求項７】
前記ベクトルが分数ピクセル解像度を有する場合、分数ピクセル補間を使用し、前記予測子ブロックの外部からのサンプルピクセル値に少なくとも部分的に基づいて、前記予測子ブロックのピクセル値を決定するステップと、
前記予測子ブロックの前記ピクセル値に基づいて前記現在のブロックを再構成するステップと
をさらに備える、請求項1に記載の方法。
【請求項８】
ビデオデータを復号する方法であって、
符号化ビデオビットストリームから、前記ビデオデータの現在のピクチャ内の現在のブロックのための前記ビデオデータの前記現在のピクチャ内の予測子ブロックを識別するベクトルの表現を取得するステップと、
前記ベクトルが分数ピクセル解像度または整数ピクセル解像度のどちらを有するかを決定するステップと、
前記ベクトルに基づいて、探索範囲内から前記現在のブロックのための予測子ブロックを決定するステップであって、
前記ベクトルが整数ピクセル解像度を有するとき、前記現在のブロックのための前記探索範囲が初期探索範囲を備え、
前記ベクトルが分数ピクセル解像度を有するとき、前記現在のブロックのための前記探索範囲が、前記初期探索範囲の右側境界および下側境界からMサンプルだけ前記初期探索範囲を縮小し、前記初期探索範囲の上側境界および左側境界からNサンプルだけ前記初期探索範囲を縮小することによって決定された縮小探索範囲を備える、ステップと、
前記ベクトルが分数ピクセル解像度を有することを決定することに応答して、分数ピクセル補間を使用し、前記予測子ブロックの外部であるが、前記縮小探索範囲内からのサンプルピクセル値に少なくとも部分的に基づいて、前記予測子ブロックのピクセル値を決定するステップと、
前記予測子ブロックの前記ピクセル値に基づいて前記現在のブロックを再構成するステップと
を備える、方法。
【請求項９】
Mが2であり、Nが2である、請求項8に記載の方法。
【請求項１０】
前記ベクトルが、彩度動きベクトルであり、前記動きベクトルの前記表現を取得するステップが、
前記符号化ビデオビットストリームから、輝度動きベクトルの表現を取得するステップと、
前記輝度動きベクトルに基づいて前記彩度動きベクトルを決定するステップと
を備える、請求項8に記載の方法。
【請求項１１】
前記ベクトルが、彩度動きベクトルであり、前記方法が、
前記現在のブロックのための輝度サンプリングに対する彩度サンプリングの比が1よりも大きい場合、分数ピクセル解像度が前記彩度動きベクトルのために使用されることになることを決定するステップをさらに備える、請求項8に記載の方法。
【請求項１２】
現在のブロックの彩度サンプリングフォーマットが4:2:2または4:2:0である場合、前記現在のブロックのための輝度サンプリングに対する彩度サンプリングの前記比が1よりも大きい、請求項11に記載の方法。
【請求項１３】
ビデオデータを符号化するための装置であって、
前記ビデオデータの現在のピクチャ内の現在のブロックのための前記ビデオデータの前記現在のピクチャ内の予測子ブロックを識別するベクトルのために使用されることになる解像度を決定するための手段と、
前記決定された解像度に基づいて、前記現在のブロックのための探索範囲を決定するための手段であって、
前記ベクトルのために使用されることになる前記解像度が整数ピクセルである場合、前記探索範囲を決定するための前記手段が、初期探索範囲を前記現在のブロックのための前記探索範囲として使用するように構成され、
前記ベクトルのために使用されることになる前記解像度が分数ピクセルである場合、前記探索範囲を決定するための前記手段が、
前記初期探索範囲の右側境界および下側境界からMサンプルだけ前記初期探索範囲を縮小し、
前記初期探索範囲の上側境界および左側境界からNサンプルだけ前記初期探索範囲を縮小し、
前記縮小された初期探索範囲を前記現在のブロックのための前記探索範囲として使用するように構成された、前記現在のブロックのための前記探索範囲を決定するための手段と、
前記探索範囲内から、前記現在のブロックのための予測子ブロックを選択するための手段と、
前記現在のブロックのための前記選択された予測子ブロックを識別する前記ベクトルを決定するための手段と、
符号化ビデオビットストリーム内に、前記ベクトルの表現を符号化するための手段と
を備える、装置。
【請求項１４】
ビデオデータを復号するための装置であって、
符号化ビデオビットストリームから、前記ビデオデータの現在のピクチャ内の現在のブロックのための前記ビデオデータの前記現在のピクチャ内の予測子ブロックを識別するベクトルの表現を取得するための手段と、
前記ベクトルが分数ピクセル解像度または整数ピクセル解像度のどちらを有するのかを決定するための手段と、
前記ベクトルに基づいて、探索範囲内から前記現在のブロックのための予測子ブロックを決定するための手段であって、
前記ベクトルが整数ピクセル解像度を有するとき、前記現在のブロックのための前記探索範囲が、初期探索範囲を備え、
前記ベクトルが分数ピクセル解像度を有するとき、前記現在のブロックのための前記探索範囲が、前記初期探索範囲の右側境界および下側境界からMサンプルだけ前記初期探索範囲を縮小し、前記初期探索範囲の上側境界および左側境界からNサンプルだけ前記初期探索範囲を縮小することによって決定された縮小探索範囲を備える、手段と、
前記ベクトルが分数ピクセル解像度を有することを決定することに応答して、分数ピクセル補間を使用し、前記予測子ブロックの外部であるが、前記縮小探索範囲内からのサンプルピクセル値に少なくとも部分的に基づいて、前記予測子ブロックのピクセル値を決定するための手段と、
前記予測子ブロックの前記ピクセル値に基づいて前記現在のブロックを再構成するための手段と
を備える、装置。
【請求項１５】
実行されたとき、ビデオ符号化デバイスの1つまたは複数のプロセッサに請求項１から７のうちいずれか１項の方法を実行させ、または、復号デバイスの1つまたは複数のプロセッサに請求項８から１２のうちいずれか１項の方法を実行させる命令を記憶するコンピュータ可読記憶媒体。